(57)【要約】【課題】ブラシの組み外し作業を容易にするスリップリング機構及びスリップリング機構を備える回転電機を提供する。【解決手段】スリップリング機構３０は、スリップリング３２を有する回転軸６と、ブラシ３３を保持するベースリングプレート３５を内側に有し且つスリップリング３２を囲むように設けられた筒状のブラシベースカバー３１と、回転軸６及びブラシベースカバー３１を収容するスリップリング機構収容空間４を共に形成するモータカバー２及びエンドカバー３とを備える。モータカバー２は、ブラシベースカバー３１の外側で回転軸６の周方向に沿って延在する。エンドカバー３は、開口部２ａ１を塞ぐようにモータカバー２に取り付けられる。ベースリングプレート３５は、ブラシ３３に電気的に接続されたバスバー３９を有し、バスバー３９は、スリップリング機構収容空間４内でブラシベースカバー３１の外側に突出してエンドカバー３の近傍まで延在する。【選択図】図２
2015204700.tif 000002
【特許請求の範囲】
【請求項１】
ブラシ及び回転しつつ前記ブラシと接触するスリップリングを含むスリップリング機構において、
前記スリップリングが外周に沿って設けられた回転軸と、
前記ブラシを保持するブラシベースを内側に有し且つ前記スリップリングを囲むように設けられた筒状のブラシベースカバーと、
前記回転軸及び前記ブラシベースカバーを収容するスリップリング機構収容空間を共に形成する第一カバー及び第二カバーと
を備え、
前記第一カバーは、前記ブラシベースカバーの外側で前記回転軸の周方向に沿って延在し、前記回転軸の一方の端部側の開口部で開口し、
前記第二カバーは、前記開口部を塞ぐように前記第一カバーに取り付けられ、
前記ブラシベースは、前記ブラシに電気的に接続されたバスバーを有し、
前記バスバーは、前記スリップリング機構収容空間内で前記ブラシベースカバーの外側に突出して前記第二カバーの近傍まで延在し、前記スリップリング機構収容空間の外部から内部に延びる電線と接続可能であるスリップリング機構。
【請求項２】
前記ブラシベースカバーは、前記第二カバーから延出するように設けられ、
前記第二カバーは、前記ブラシベースカバーの内側の前記スリップリング機構収容空間を前記第二カバーの外部に連通する第一連通路と、前記ブラシベースカバーの外側の前記スリップリング機構収容空間を前記第二カバーの外部に連通する第二連通路とを有する請求項１に記載のスリップリング機構。
【請求項３】
前記第一連通路は、前記スリップリング機構収容空間内への冷却用気体の導入路であり、
前記第二連通路は、前記スリップリング機構収容空間外への前記冷却用気体の導出路である請求項２に記載のスリップリング機構。
【請求項４】
前記バスバーは、前記ブラシベースと一体成形されている請求項１〜３のいずれか一項に記載のスリップリング機構。
【請求項５】
請求項１〜４のいずれか一項に記載のスリップリング機構を備える回転電機において、
前記回転軸と一体に回転する回転子と、
固定子と、
前記回転子及び固定子を収容するハウジングと
を備え、
前記ハウジングは、一体成形された前記第一カバーを含む回転電機。
【発明の詳細な説明】
【技術分野】
【０００１】
この発明は、スリップリング機構及びスリップリング機構を備える回転電機に関する。
【背景技術】
【０００２】
回転電機が含むスリップリング機構では、回転軸と共に回転するスリップリングに、外部のインバータ、バッテリ等の電気機器と電気的に接続されたブラシを接触させることによって、外部との間で電力の需給が行われる。
例えば特許文献１には、スリップリング、ブラシ、ブラシを収容するブラシホルダ、及びブラシホルダを支持するブラシホルダ支えをコレクタカバー内に収容した回転電機が記載されている。コレクタカバー内では、軸方向に沿って回転軸に設けられた３つのスリップリングそれぞれに接触させるようにしてブラシが配置されている。さらに、コレクタカバー内には、軸方向に沿って３つの仕切りがスリップリングに対向するように突出し、各仕切りには、絶縁板で製作された環状の絶縁支え板が取り付けられ、各絶縁支え板にブラシホルダ支えが取り付けられている。
【先行技術文献】
【特許文献】
【０００３】
【特許文献１】特開平７−１５９１９号公報
【発明の概要】
【発明が解決しようとする課題】
【０００４】
ブラシは、回転するスリップリングに対して押圧された状態で摺動するため、摩耗を生じ、時間の経過と共に交換を必要とする。回転電機は、車載されるトランスアスクルに組み込まれる場合があり、このような回転電機では、限られた狭いスペース内でブラシの交換作業を行う必要がある。さらに、ブラシの交換時には、ブラシを外部の電気機器に接続する電線の着脱が必要になる。しかしながら、特許文献１の回転電機のようにブラシがコレクタカバー内に収容されて複数の部材を用いて保持されている構成では、電線の着脱及びブラシの交換作業が非常に困難なものになるという問題がある。
【０００５】
この発明は上記のような問題を解決するためになされたものであり、ブラシの組み外し作業を容易にするスリップリング機構及びスリップリング機構を備える回転電機を提供することを目的とする。
【課題を解決するための手段】
【０００６】
上記の課題を解決するために、この発明に係るスリップリング機構は、ブラシ及び回転しつつブラシと接触するスリップリングを含むスリップリング機構において、スリップリングが外周に沿って設けられた回転軸と、ブラシを保持するブラシベースを内側に有し且つスリップリングを囲むように設けられた筒状のブラシベースカバーと、回転軸及びブラシベースカバーを収容するスリップリング機構収容空間を共に形成する第一カバー及び第二カバーとを備え、第一カバーは、ブラシベースカバーの外側で回転軸の周方向に沿って延在し、回転軸の一方の端部側の開口部で開口し、第二カバーは、開口部を塞ぐように第一カバーに取り付けられ、ブラシベースは、ブラシに電気的に接続されたバスバーを有し、バスバーは、スリップリング機構収容空間内でブラシベースカバーの外側に突出して第二カバーの近傍まで延在し、スリップリング機構収容空間の外部から内部に延びる電線と接続可能である。
【０００７】
ブラシベースカバーは、第二カバーから延出するように設けられ、第二カバーは、ブラシベースカバーの内側のスリップリング機構収容空間を第二カバーの外部に連通する第一連通路と、ブラシベースカバーの外側のスリップリング機構収容空間を第二カバーの外部に連通する第二連通路とを有してよい。
さらに、第一連通路は、スリップリング機構収容空間内への冷却用気体の導入路であり、第二連通路は、スリップリング機構収容空間外への冷却用気体の導出路であってよい。
バスバーは、ブラシベースと一体成形されてよい。
上記スリップリング機構を備える回転電機は、回転軸と一体に回転する回転子と、固定子と、回転子及び固定子を収容するハウジングとを備え、ハウジングは、一体成形された第一カバーを含む。
【発明の効果】
【０００８】
この発明に係るスリップリング機構及びスリップリング機構を備える回転電機によれば、ブラシの組み外し作業を容易にすることが可能になる。
【図面の簡単な説明】
【０００９】
【図１】この発明の実施の形態に係るスリップリング機構を備える回転電機の構成を示す模式断面側面図である。
【図２】図１のスリップリング機構を拡大した模式断面側面図である。
【図３】図１のＩＩＩ−ＩＩＩ線に沿った断面図である。
【図４】図１のブラシベースカバーをブラシ及びベースリングプレートを含むかたちで示す斜視図である。
【図５】図１のＶ−Ｖ線に沿った断面で切断したブラシ近傍の断面図である。
【発明を実施するための形態】
【００１０】
実施の形態
以下、この発明の実施の形態に係るスリップリング機構３０を備える回転電機１００について、添付図面に基づいて説明する。なお、以下の実施形態では、回転電機１００は、ハイブリッド自動車を稼働させるためのハイブリッドトランスアクスルに組み込まれるものとして説明する。
【００１１】
図１を参照すると、回転電機１００は、三相交流電力が印加されるダブルロータ型の回転電機を構成している。回転電機１００は、円筒状の金属製モータハウジング部１と、モータハウジング部１の開口端部１ａに設けられた筒状の金属製モータカバー２と、モータカバー２の開口端部２ａの開口部２ａ１を塞ぐ金属製エンドカバー３とを備えている。
モータハウジング部１は、ハイブリッドトランスアクスル２００（図３参照）のハウジングと一体成形されてその一部を構成している。
ここで、モータハウジング部１及びモータカバー２は、回転電機のハウジングを構成し、モータカバー２は第一カバーを構成し、エンドカバー３は第二カバーを構成している。
【００１２】
モータカバー２は、モータハウジング部１の開口端部１ａに固定され且つ開口端部１ａの径方向に延在する円環板状のフランジ部２ｂと、モータハウジング部１よりも小さい径を有し且つフランジ部２ｂから垂直にモータハウジング部１内に延在する略円筒状の小径筒部２ｃと、小径筒部２ｃよりも大きい内径を有し且つフランジ部２ｂから小径筒部２ｃと反対側に延在する大径筒部２ｄとを備えている。大径筒部２ｄは、開口端部２ａを構成し、エンドカバー３は、大径筒部２ｄの端部に固定されている。
小径筒部２ｃ及び大径筒部２ｄの内側には、小径筒部２ｃから大径筒部２ｄにわたって内径が段差状に拡大するスリップリング機構収容空間４が区画形成される。
また、モータハウジング部１と小径筒部２ｃとの間には、モータ収容空間５が区画形成される。
【００１３】
さらに、回転電機１００は、スリップリング機構収容空間４を通って延在する金属製の回転軸６と、回転軸６におけるエンドカバー３と反対側の端部６ａに一体回転可能に連結された金属製の第一ロータ支持部材７とを備えている。第一ロータ支持部材７は、回転軸６と同軸上に配置されている。
小径筒部２ｃにおける大径筒部２ｄと反対側の端部の内周面と回転軸６の外周面との間は、環状のシール部材８によって気密に封止されている。さらに、スリップリング機構収容空間４内におけるシール部材８のエンドカバー３側の近傍では、小径筒部２ｃから回転軸６に向かって突出する環状の隔壁２ｅが一体成形されている。
【００１４】
第一ロータ支持部材７は、回転軸６と反対側に突出する円筒状の入力軸部７ａと、モータ収容空間５内で小径筒部２ｃを外側から囲むように延在する円筒状のロータ支持部７ｂとを一体に含んでいる。入力軸部７ａは、その円筒の内側にエンジン等の駆動装置の回転軸が嵌合挿入されることで駆動装置の回転駆動力が伝達されるように構成されている。ロータ支持部７ｂは、その外周に設けられる円筒状の第一ロータ２１を支持し一体に回転する。なお、第一ロータ２１は、その内部に、周方向に沿って配置された三相巻線２１ａを含んでいる。ここで、第一ロータ２１は、回転子を構成している。
【００１５】
ロータ支持部７ｂは、その外周側に設けられたボールベアリング９を介してモータカバー２のフランジ部２ｂによって回転自在に支持されている。このため、回転軸６、第一ロータ支持部材７及び第一ロータ２１は、回転軸６の回転中心軸を中心としてモータハウジング部１及びモータカバー２に対して、一体に回転することができる。
【００１６】
さらに、モータ収容空間５内では、第一ロータ２１の外周を囲むようにして円筒状の第二ロータ２２が設けられている。第二ロータ２２は、その内部に、周方向に沿って配置された永久磁石２２ａを有している。
第二ロータ２２は、その円筒軸方向の両側から第二ロータ２２を挟むように設けられた第二ロータ支持部材１０及び１１によって支持されている。
第二ロータ支持部材１１は、筒状の形状を有し、第二ロータ２２に対してモータカバー２のフランジ部２ｂ側に配置されて第二ロータ２２に一体回転可能に連結されている。そして、第二ロータ支持部材１１は、その外周側に設けられたボールベアリング１２を介してフランジ部２ｂによって回転自在に支持されている。
【００１７】
第二ロータ支持部材１０は、有底円筒状の形状を有し、第二ロータ２２に対してフランジ部２ｂと反対側に配置され、第二ロータ支持部材１１と共に第二ロータ２２に一体回転可能に連結されている。そして、第二ロータ支持部材１０は、その内周側に設けられたボールベアリング１３を介して、入力軸部７ａの外周面によって回転自在に支持されている。さらに、第二ロータ支持部材１０は、その底部の中心に入力軸部７ａと同方向に延びる円筒状の出力軸部１０ａを一体に含んでいる。出力軸部１０ａは、入力軸部７ａ及び回転軸６と同軸に配置されている。
【００１８】
よって、第二ロータ２２と第二ロータ支持部材１０及び１１とは一体となって、入力軸部７ａに対して、つまり、回転軸６及び第一ロータ２１に対して相対回転することができる。そして、第二ロータ支持部材１０の出力軸部１０ａは、その外周面に形成されたギヤ歯に係合する機構に回転駆動力を出力することができる。
【００１９】
また、モータ収容空間５内では、第二ロータ２２の外周を囲むようにして円筒状のステータ２３が設けられている。ステータ２３は、モータハウジング部１に固定されている。さらに、ステータ２３は、その内部に、周方向に沿って配置された三相巻線２３ａを含んでいる。ここで、ステータ２３は、固定子を構成している。
従って、回転電機１００は、第一ロータ２１、第二ロータ２２及びステータ２３を備えたダブルロータ型の回転電機を構成している。
【００２０】
また、エンドカバー３の内側表面３ａには、スリップリング機構収容空間４に開口する内側円弧状溝３ｂ及び外側円弧状溝３ｃが、形成されている。内側円弧状溝３ｂ及び外側円弧状溝３ｃは、互いに間隔をあけて回転軸６の周囲を囲むようにして延在している。外側円弧状溝３ｃは、回転軸６の径方向で内側円弧状溝３ｂを外側から囲むように延在している。ここで、内側円弧状溝３ｂ及び外側円弧状溝３ｃはそれぞれ、第一連通路及び第二連通路を構成している。
【００２１】
内側円弧状溝３ｂ及び外側円弧状溝３ｃは、エンドカバー３の外部に連通している。内側円弧状溝３ｂは、外部の図示しない送風装置に連通し、冷却用の空気が供給されるように構成され、外側円弧状溝３ｃは、トランスアクスル２００（図３参照）の外部に空気を放出できるように構成されている。なお、エンドカバー３の内側表面３ａにおいて、内側円弧状溝３ｂの内側には、回転軸６の回転数を検知する回転センサ１４が、回転軸６を囲むように埋め込まれている。
【００２２】
また、スリップリング機構収容空間４内では、エンドカバー３の内側表面３ａ上における内側円弧状溝３ｂ及び外側円弧状溝３ｃの間の部位から隔壁２ｅに向かって、略円筒状のブラシベースカバー３１が回転軸６を囲むようにして回転軸６と略平行に延在している。ブラシベースカバー３１は、隔壁２ｅとの間に間隙を有しており、スリップリング機構収容空間４内で回転軸６の軸方向に沿った往復流路を形成する。この往復流路は、内側円弧状溝３ｂから流入した空気が、回転軸６とブラシベースカバー３１との間となるブラシベースカバー３１の内側を通った後、隔壁２ｅに衝突して向きを変え、小径筒部２ｃ及び大径筒部２ｄとブラシベースカバー３１との間となるブラシベースカバー３１の外側を通り、外側円弧状溝３ｃから流出する流路である。
【００２３】
ブラシベースカバー３１は、小径筒部２ｃ及び大径筒部２ｄに沿う外形を有している。ブラシベースカバー３１は、小径筒部２ｃに対向する小径部３１ａと、大径筒部２ｄに対向する大径部３１ｂとによって構成されている。大径部３１ｂは、小径部３１ａよりも大きい径を有している。
なお、回転軸６の外周側に回転センサ１４を設けることで径が大きくなった内側円弧状溝３ｂ及び外側円弧状溝３ｃに対応させるように、モータカバー２の大径筒部２ｄ及びブラシベースカバー３１の大径部３１ｂは、大径化されている。
【００２４】
また、ブラシベースカバー３１の内側には、スリップリング機構３０が設けられている。スリップリング機構３０は、トランスアクスル２００（図３参照）の外部の電気機器と、回転電機１００とを電気的に接続するための機構である。
図１、図２、図４及び図５をあわせて参照すると、スリップリング機構３０は、回転軸６の外周を囲むように埋め込まれた輪状の３つのスリップリング３２と、スリップリング３２のそれぞれに接触し且つ導電性を有する複数のブラシ３３とを含んでいる。３つのスリップリング３２は、回転軸６の回転中心軸方向に沿って一列に並んで配置されている。そして、各スリップリング３２に対して、３つのブラシ３３が配設されている。
【００２５】
また、回転軸６の外周面は、樹脂等からなる円筒状の絶縁部材４０によって覆われている。絶縁部材４０は、外周面を露出させるようにして各スリップリング３２を含み、各スリップリング３２を回転軸６及び他のスリップリング３２から絶縁する。さらに、絶縁部材４０は、回転軸６の軸方向に沿って延在する３つのスリップリング用バスバー４１を内部に含み、各スリップリング用バスバー４１を回転軸６及び他のスリップリング用バスバー４１から絶縁する。各スリップリング用バスバー４１は、各スリップリング３２を第一ロータ２１の互いに異なる各相の巻線２１ａに電気的に接続する。
【００２６】
さらに、スリップリング機構３０は、金属等の導電性を有する材料から形成された円環板状のベースリングプレート３５と、ベースリングプレート３５の表面上に固定されたブラシホルダ３４、巻きバネ３６、電気接続部３７及びスペーサ３８を含んでいる。各ブラシホルダ３４は、金属等の導電性を有する材料から形成され、各ブラシ３３を内部で摺動可能に保持する。各巻きバネ３６は、各ブラシ３３をスリップリング３２に向かって押圧する。各電気接続部３７は、電線及び端子によって構成され、各ブラシホルダ３４をベースリングプレート３５に電気的に接続する。スペーサ３８は、所定の間隔をあけるようにしてベースリングプレート３５同士を連結する。
ここで、ベースリングプレート３５は、ブラシベースを構成している。
【００２７】
３つのベースリングプレート３５が、各スリップリング３２の外周側且つ近傍で、回転軸６の回転中心軸方向と垂直な方向に沿って互いに間隔をあけて配置されて、ブラシベースカバー３１に固定されている。各ベースリングプレート３５には、３つのブラシホルダ３４、３つの巻きバネ３６、３つの電気接続部３７及び３つのスペーサが設けられている。
【００２８】
各ベースリングプレート３５の外周縁からは、一体成形された１つのバスバー３９が延びている。バスバー３９は、ブラシベースカバー３１の小径部３１ａに形成されたスリット３１ａ１を通って、ブラシベースカバー３１の外部に突出し、モータカバー２の大径筒部２ｄ及びブラシベースカバー３１の大径部３１ｂの間におけるエンドカバー３の近傍位置まで延在している。
３つのバスバー３９は、ブラシベースカバー３１の周方向で等間隔に配置され、３つのバスバー３９の端部３９ａは、エンドカバー３から同様の軸方向距離に位置している。各バスバー３９の端部３９ａは、外部の電気機器に接続される電線の端子を接続できるように構成されている。よって、各ブラシ３３は、ブラシホルダ３４、電気接続部３７、ベースリングプレート３５及びバスバー３９を介して、外部の電気機器に電気的に接続される。
【００２９】
なお、モータカバー２において、フランジ部２ｂ、小径筒部２ｃ及び大径筒部２ｄを、別々の部材として互いに連結するのではなく、一体成形したことによって強度が向上したため、フランジ部２ｂと小径筒部２ｃとの接続部分及びフランジ部２ｂと大径筒部２ｄとの接続部分の部材の肉厚を薄くすることができた。さらに、部材連結用の部品も必要がなくなった。これにより、大径筒部２ｄとブラシベースカバー３１の大径部３１ｂとの間に、バスバー３９の端部３９ａを設けることができると共に、この端部３９ａに電線を接続する作業のためのスペースを確保することができた。
【００３０】
さらに、エンドカバー３を取り外したトランスアクスル２００を示す図３を参照すると、モータカバー２の外表面上において、大径筒部２ｄの外周側には、外部端子台２ｆが一体成形されている。外部端子台２ｆには、三相交流電流の各相に対応する３つの外部端子２ｇが設けられている。さらに、大径筒部２ｄの内周側から大径筒部２ｄ及び外部端子台２ｆを貫通して外部端子２ｇまで延在する３つの電線孔２ｉが形成されている。そして、各外部端子２ｇから各電線孔２ｉを通ってモータカバー２内に延びる電線２ｈの端部の端子は、各バスバー３９の端部３９ａに接続される。このとき、各バスバー３９の端部３９ａは、ブラシベースカバー３１の外側且つ大径筒部２ｄの開口部２ａ１の近傍に位置するため、電線２ｈの端子の接続作業を容易にしている。
【００３１】
よって、スリップリング機構３０の回転軸６への組み付けは以下のようにして実施される。
図１〜図５をあわせて参照すると、まず、ブラシ３３、ブラシホルダ３４、巻きバネ３６及びスペーサ３８が取り付けられ、電気接続部３７が接続された３つのベースリングプレート３５が、スペーサ３８を介して互いに組み付けられて一体化された後、ブラシベースカバー３１の内側に組み付けられる。ブラシ３３等を含むベースリングプレート３５及びブラシベースカバー３１によるアセンブリ５０（図４参照）は、モータカバー２の開口端部２ａの開口部２ａ１から内部へと、ベースリングプレート３５の中心の開口部３５ａ(図５参照）に、スリップリング３２を含む回転軸６を通すようにして、挿入される。次いで、モータカバー２の外側で、電線２ｈを伴った外部端子２ｇが外部端子台２ｆに取り付けられ、各電線孔２ｉに通された各電線２ｈの端子が、各ベースリングプレート３５から延びるバスバー３９の端部３９ａに接続される。その後、エンドカバー３が、ボルト等の締結具を用いてモータカバー２に取り付けられ、開口部２ａ１が塞がれる。
【００３２】
上述のように、電線２ｈの接続が、スリップリング機構３０の他の全ての構成要素のモータカバー２内への組み付け後に行われるため、上記構成要素の組み付けを妨げない。さらに、電線２ｈの接続は、開口部２ａ１の近傍の十分な作業スペース内で行われるため、容易である。よって、スリップリング機構３０の全ての構成要素の組み付けが容易になる。
【００３３】
また、トランスアクスル２００への回転電機１００及びスリップリング機構３０の組み付け後に、摩耗によりブラシ３３を交換する必要が生じた際、エンドカバー３が取り外されてバスバー３９から電線２ｈが取り外され、ベースリングプレート３５及びブラシベースカバー３１を含むアセンブリ５０（図４参照）がモータカバー２内から抜き出される。ブラシ３３の交換は、抜き出されたアセンブリ５０に対して実施される。よって、ブラシ３３の交換作業が容易になる。
【００３４】
また、回転電機１００は、以下のように稼働する。
図１及び図３をあわせて参照すると、図示しない電気機器から外部端子２ｇを介して各ブラシ３３に三相交流電流が供給されると、供給された電流は、各スリップリング３２及び各スリップリング用バスバー４１を通って、第一ロータ２１の三相巻線２１ａに供給される。そして、三相巻線２１ａを流れる電流が発生する回転磁界が、永久磁石２２ａに作用して第二ロータ２２を回転駆動し、出力軸部１０ａが回転駆動される。
一方、入力軸部７ａを介して回転軸６が回転駆動されると、第一ロータ２１が回転し、それに伴い、第一ロータ２１の三相巻線２１ａに誘導電流が発生し、各スリップリング３２、各ブラシ３３及び各外部端子２ｇを介して、発生した誘導電流が電気機器に供給される。
【００３５】
上述のようにスリップリング３２及びブラシ３３の間で電流が流れること、並びにブラシ３３がスリップリング３２上で摺動することによって、ブラシ３３が発熱するため、トランスアクスル２００の外部の図示しない送風装置によって冷却用空気がエンドカバー３の内側円弧状溝３ｂに供給される。内側円弧状溝３ｂからスリップリング機構収容空間４内のブラシベースカバー３１の内側に流入した空気は、ベースリングプレート３５と回転軸６との間を通りながら隔壁２ｅに向かって流れる。この過程では、空気は、スリップリング３２とブラシ３３との各接触箇所に吹き付け、各ブラシ３３を冷却すると共にブラシの摩耗粉を吹き飛ばす。さらに、空気は、ブラシベースカバー３１から流出した後に隔壁２ｅに衝突してその方向を変え、ブラシベースカバー３１の外側をエンドカバー３の外側円弧状溝３ｃに向かって流れ、外側円弧状溝３ｃからトランスアクスル２００の外部に流出する。
このとき、各バスバー３９は、ブラシベースカバー３１の外側に配置されており、電線２ｈが接続される各バスバー３９の端部３９ａは、外側円弧状溝３ｃの近傍に位置するため、ブラシ３３を冷却する空気の流れを妨げない。
【００３６】
このように、この発明の実施の形態に係るスリップリング機構３０は、ブラシ３３及び回転しつつブラシ３３と接触するスリップリング３２を含む。スリップリング機構３０は、スリップリング３２が外周に沿って設けられた回転軸６と、ブラシ３３を保持するベースリングプレート３５を内側に有し且つスリップリング３２を囲むように設けられた筒状のブラシベースカバー３１と、回転軸６及びブラシベースカバー３１を収容するスリップリング機構収容空間４を共に形成するモータカバー２及びエンドカバー３とを備える。モータカバー２は、ブラシベースカバー３１の外側で回転軸６の周方向に沿って延在し、回転軸６の一方の端部側の開口部２ａ１で開口し、エンドカバー３は、開口部２ａ１を塞ぐようにモータカバー２に取り付けられる。ベースリングプレート３５は、ブラシ３３に電気的に接続されたバスバー３９を有し、バスバー３９は、スリップリング機構収容空間４内でブラシベースカバー３１の外側に突出してエンドカバー３の近傍まで延在し、スリップリング機構収容空間４の外部から内部に延びる電線２ｈと接続可能である。
【００３７】
このとき、エンドカバー３を取り外した状態で、ブラシ３３を保持したベースリングプレート３５を備えたブラシベースカバー３１をモータカバー２に取り付ける又は取り外すことによって、ブラシ３３の取り付け及び取り外しを行うことができる。さらに、ブラシ３３に電気的に接続されたバスバー３９と電線２ｈとの接続及び接続解除作業は、エンドカバー３を取り外した状態で、ブラシベースカバー３１の外側のバスバー３９以外にスリップリング機構３０の構成要素が存在しない領域において、モータカバー２の開口部２ａ１の近傍で実施することができるため、容易な作業となる。よって、スリップリング機構３０は、ブラシの組み外し作業を容易にすることができる。また、バスバー３９と電線２ｈとの接続及び接続解除作業のスペースを回転軸６に対して径方向の位置にとったため、回転電機１００の軸方向長さの増大を抑えることができる。
【００３８】
また、スリップリング機構３０において、ブラシベースカバー３１は、エンドカバー３から延出するように設けられ、エンドカバー３は、ブラシベースカバー３１の内側のスリップリング機構収容空間４をエンドカバー３の外部に連通する内側円弧状溝３ｂと、ブラシベースカバー３１の外側のスリップリング機構収容空間４をエンドカバー３の外部に連通する外側円弧状溝３ｃとを有する。さらに、内側円弧状溝３ｂは、スリップリング機構収容空間４内への冷却用気体の導入路であり、外側円弧状溝３ｃは、スリップリング機構収容空間４外への冷却用気体の導出路である。このとき、バスバー３９及び電線２ｈが、ブラシ３３への冷却用気体の流れを妨げない。
【００３９】
また、スリップリング機構３０において、バスバー３９は、ベースリングプレート３５と一体成形されている。これにより、バスバー３９の構造を簡易にすることができ、バスバー３９及びベースリングプレート３５の連結部の剛性を向上させることができる。よって、バスバー３９が容易に動かないため、ベースリングプレート３５を備えたブラシベースカバー３１の取り付け及び取り外し作業が容易になる。
【００４０】
また、回転電機１００は、回転軸６と一体に回転する第一ロータ２１と、ステータ２３と、第一ロータ２１及びステータ２３を収容するモータハウジング部１及びモータカバー２とを備える。モータカバー２は、一体成形されたフランジ部２ｂ、小径筒部２ｃ及び大径筒部２ｄを含む。これにより、回転電機１００のハウジングを構成するモータカバー２において、フランジ部２ｂ、小径筒部２ｃ及び大径筒部２ｄの間の締結具による連結部が存在しないため、フランジ部２ｂ、小径筒部２ｃ及び大径筒部２ｄの占めるスペースが減少し、さらのこれらの部位を薄肉化することができる。よって、モータカバー２とブラシベースカバー３１との間にとることができるスペースが拡大し、バスバー３９と電線２ｈとの接続及び接続解除作業が容易になる。
【００４１】
また、実施の形態のスリップリング機構３０では、３つのスリップリング３２が設けられていたが、これに限定されるものでなく、スリップリングは、２つ以下であっても、４つ以上であってもよい。さらに、各スリップリングに接触するブラシ３３も３つに限定されるものでなく、２つ以下であっても、４つ以上であってもよい。
また、実施の形態では、回転電機１００の第一ロータ２１及びステータ２３に巻線が設けられ、第二ロータ２２に永久磁石が設けられていたが、巻線及び永久磁石の配置構成は、これに限定されない。
【００４２】
また、実施の形態のスリップリング機構３０では、内側円弧状溝３ｂを冷却用気体の導入路とし、外側円弧状溝３ｃを冷却用気体の導出路としていたが、逆であってもよい。
また、実施の形態では、回転電機１００はダブルロータ型の回転電機であったが、これに限定されるものでなく、スリップリング及びブラシを備えるものであれば、ロータの数を限定しない。
また、実施の形態では、回転電機１００は、ハイブリッドトランス２００に搭載されるとしたが、これに限定されるものでなく、いかなるものに搭載されてもよい。
【符号の説明】
【００４３】
１  モータハウジング部（回転電機のハウジング）、２  モータカバー（回転電機のハウジング、第一カバー）、２ａ  開口端部、２ａ１  開口部、２ｂ  フランジ部、２ｃ  小径筒部、２ｄ  大径筒部、２ｈ  電線、３  エンドカバー（第二カバー）、３ｂ  内側円弧状溝（第一連通路）、３ｃ  外側円弧状溝（第二連通路）、４  スリップリング機構収容空間、６  回転軸、２１  第一ロータ（回転子）、２３  ステータ（固定子）、３０  スリップリング機構、３１  ブラシベースカバー、３２  スリップリング、３３  ブラシ、３５  ベースリングプレート（ブラシベース）、３９  バスバー、１００  回転電機。
【図１】
2015204700.tif 000003
【図２】
2015204700.tif 000004
【図３】
2015204700.tif 000005
【図４】
2015204700.tif 000006
【図５】
2015204700.tif 000007